(57)【要約】      （修正有）【課題】上下つなぎ服タイプの防護服において、着脱のための開閉部分を形成するためのファスナを、一人で開閉しやすく、かつ、防護服の着脱も行いやすい形態で設けた着脱容易な防護服を提供する。【解決手段】つなぎ服タイプの防護服Ｄにおいて、着脱用のファスナ５を当該防護服の上衣１と下衣２の境界近傍ないし胴部Ｗ近傍の（以下、単に「胴部」という）周囲に設け、前記ファスナを開けたとき、該ファスナで分離される前記上衣の下部と下衣の上部に着脱用の開口部が現われるようにした。【選択図】図１
0003204406.tif 000002
【実用新案登録請求の範囲】
【請求項１】
つなぎ服タイプの防護服において、着脱用のファスナを当該防護服の上衣と下衣の境界近傍ないし胴部近傍の（以下、前記境界近傍ないし胴部近傍を単に「胴部」という）周囲に設け、前記ファスナを開けたとき、該ファスナで分離される前記上衣の下部と下衣の上部に着脱用の開口部が現われることを特徴とする着脱容易な防護服。
【請求項２】
ファスナは胴部の前方、又は、後方、或は、側方の一部を残した周囲に設けた請求項１に記載の着脱容易な防護服。
【請求項３】
ファスナは胴部の全周乃至略全周に亘って平面視略環状に設けた請求項１に記載の着脱容易な防護服。
【請求項４】
略環状に設けるファスナは、防護服の前後面に関しその防護服を側面から見て斜めに横断する傾きを付して設けた請求項３に記載の着脱容易な防護服。
【請求項５】
ファスナを設ける高さは、防護服の胸部近傍から骨盤近傍までの間に設定する請求項１〜４のいずれかに記載の着脱容易な防護服。
【請求項６】
ファスナは咬合子（務歯）がスライダで噛合離脱するラインファスナ、又は、断面凹凸状の線状雌雄部材がスライダで噛合離脱するラインファスナである請求項１〜５のいずれかに記載の着脱容易な防護服。
【考案の詳細な説明】
【技術分野】
【０００１】
本考案は、原子力発電所などの放射線管理区域内等で使用して有用な主として放射線を対象とした上下つなぎ服タイプの防護服に関する。
【背景技術】
【０００２】
従来から上下つなぎ服タイプの防護服については、数多くの提案がなされ、実用に供されているものも多い。
【０００３】
従来の防護服は、例えば放射線から着用者を防護する目的で着用されるものであるから、フード付の上下つなぎ服タイプの形態である。
【０００４】
上記防護服では、当該服を着脱するための開閉部分が、通常上衣の前面中央に、腹部からフードの顔出し窓に至る区間に縦向きにスライドファスナを設けて形成され、前記スライドファスナを開閉してこの防護服の着脱が行われている。
【０００５】
ところで、上下つなぎ服タイプの防護服において、上衣の前面略中央部に、例えば警報付きポケット線量計（ＡＰＤ）などの器材，機器等を外部から見える形で収容するための透明なポケットを設けた防護服（特許文献１参照）が使用されるようになった。
【０００６】
上記のように防護服の上衣の前面略中央に前記ポケットのような構造が設けられると、この部位に設けていた着脱のためのラインファスナが邪魔になるため、前記ファスナの位置を変更する必要が生じた。
【０００７】
防護服の着脱用のファスナの設置位置を変更した形態に関して、本考案の考案者は先にいくつかの提案をしている（特許文献２参照）。
【０００８】
しかし提案しているファスナ位置では、一人でファスナが開閉できなかったり開閉し難い等のいまだ解決すべき課題のあることが判っている。ファスナの開閉ができなかったり開閉しにくいと、作業後に防護服を脱ぐとき、汚染された手袋で防護服の内部を触ってしまい、汚染が拡大するという問題が指摘されている。
【先行技術文献】
【特許文献】
【０００９】
【特許文献１】登録実用新案公報第３１８３１７０号
【特許文献２】登録実用新案公報第３１８０６３４号
【考案の概要】
【考案が解決しようとする課題】
【００１０】
そこで本考案が解決しようとする課題は、上下つなぎ服タイプの防護服において、着脱のための開閉部分を形成するためのファスナを、一人で開閉しやすく、かつ、防護服の着脱も行いやすい形態で設けた防護服を提供することである。
【課題を解決するための手段】
【００１１】
上記課題を解決することを目的としてなされた本考案防護服の構成は、つなぎ服タイプの防護服において、着脱用のファスナを当該防護服の上衣と下衣の境界近傍ないし胴部近傍（以下、単に「胴部」という）の周囲に設け、前記ファスナを開けたとき、該ファスナで分離される前記上衣の下部と下衣の上部に着脱用の開口部が現われることを特徴とするものである。
【００１２】
本考案防護服は、上記構成において、防護服の胴部の周囲に設けるファスナはを胴部の前方、又は、後方、或は、側方の一部を残した周囲に設ける形態と、ファスナを前記胴部の全周乃至略全周に亘って環状に設ける形態とがある。
【００１３】
ファスナを環状に設ける形態では、ファスナを境に上衣と下衣とが完全に分離するタイプとファスナの始端部と終端部とが繋がって上衣と下衣が分離しないタイプとがある。上衣と下衣がファスナで分離するタイプでは、下衣に所謂サロペット（オーバーオール）タイプの胸当てを備えたズボン形態のものを用いることが出来る。
また、ファスナを環状に設ける場合、防護服の前後面に関し防護服を側面視したとき斜めに横断する傾斜角を付けて設けることがある。前記傾斜角は、防護服の側面に関し後ろ下がり又は前下がりの傾斜を選択できるが、人の腕の無理のない動作形態に鑑みると、後ろ下がりの傾斜が好ましい。
【００１４】
胴部の周囲におけるファスナの高さ方向の位置は、胸部近傍あるいは、その胸部近傍よりも下方から骨盤近傍の間で設置高さを任意に選択することができる。
【００１５】
本考案防護服は、通常上衣と一体のフードを具備するものであるが、フードを備えないタイプにも本考案は適用できる。また、防護服の材質は、天然繊維、又は、化学繊維による織布，編布，不織布、ビニール等の柔軟シート材など、いずれの材料で製されたものにも適用できる。
【００１６】
さらに本考案防護服におけるファスナの設置位置を胴部近傍の周囲にすると、上衣の正面略中央に警報付きポケット線量計を収容する透明ポケットを設けた防護服に、本考案を有意に適用することができる。
【考案の効果】
【００１７】
本考案は、つなぎ服タイプの防護服において、着脱用のファスナを当該防護服の上衣と下衣の境界近傍ないし胴部近傍の（以下、単に「胴部」という）周囲に設け、前記ファスナを開けたとき、該ファスナで分離される前記上衣の下部と下衣の上部に着脱用の開口部が現われるようにしたから、つなぎ服タイプの防護服の着脱が容易になる。また、上衣の正面略中央に透明ポケットを設けたために着脱用のファスナを該上衣の正面上下方向に設けることができない場合の着脱用ファスナの設置位置として極めて好適である。
【図面の簡単な説明】
【００１８】
【図１】本考案防護服の一例の正面図。
【図２】図１の防護服の背面図。
【図３】図１の防護服のファスナを開けて上衣を前方へ倒した状態の右側面図。
【考案を実施するための形態】
【００１９】
図１〜図３において、Ｄは本考案の一例を適用した防護服で、ここではフード３を有する上衣１と、当該上衣１と公知の上下つなぎ服と同じ形態で繋がったズボン状の下衣２を備えたものである。なお、本考案において、防護服Ｄは、一般のつなぎ服タイプの作業服も含む概念である。
【００２０】
公知の上下つなぎ服タイプの防護服では、着脱用の開閉部が、上衣１の正面側に、フード３の顔出し窓４から上衣１と下衣２の境界近傍、例えば腰部までの区間に、縦向きのラインファスナ（図示せず）を設けることにより形成されていた。
【００２１】
この点、本考案防護服Ｄでは、その防護服Ｄを着脱するための開閉部を、一例として図示したように胴部Ｗの周囲に該周囲の一部６を残してスライダ５ａを有するラインファスナ５を設けて形成した。従って、６は前記胴部Ｗにおけるファスナ５の未設置部である。
本考案のファスナ５は、線状に並んだ咬合子（務歯）がスライダのスライド動作で噛合離脱するラインファスナ、或は、断面略凹凸状の線状雌雄部材がスライダで噛合離脱するラインファスナを用いるが、ラインファスナの形態はこれに限られるものではない。ファスナには面ファスナを線状に形成したものを用いることもある。
【００２２】
図示した防護服Ｄにおいて、１１，１２左右の袖、２１，２２は、下衣２における左右の脚筒である。
【００２３】
上記防護服Ｄにおいて、実施例では次に述べる構成を備えたものであるが、本考案を適用する防護服Ｄは、そのような構成を具備しないものであってもよい。
【００２４】
図示した防護服Ｄにおいて、７はフード３の顔出し窓４の下部に設けた離型紙付きの粘着シートで、防護服Ｄの着用者が顔面に装着する防護マスク（図示せず）の外面と顔出し窓４の縁との間を隙間なく結合するためのものである。粘着シート７は前記顔出し窓４の全周に並べて設けたり、幅広テープ状の粘着シートを顔出し窓４に沿って環状に設けることもある。
【００２５】
８は上衣１の胸部に設けた略四角形の透光窓で、防護服Ｄの内部に装備した例えば警報付きポケット線量計（ＡＰＤ）などを外部から視認するためのものである。前記透光窓８はＥＶＡ樹脂やＰＥｓ樹脂の透明シートで形成し、内面側にポケットを備えている。透光窓８の形状は図示したもののほか横長形状や縦長形状であってもよい。９は前記透光窓８の横で防護服Ｄの内部側に設けたフラップ９ａ付きのポケットであり、着用者の携帯電話等を収容するためのものである。フラップ９ａは放射線がポケット９の開口部９ｂから防護服Ｄの内部に進入するのを抑止するために設けている。ポケット９の設置位置も透光窓８の横以外の位置や他の部位、例えば袖や脚筒に設けてもよい。
【００２６】
１１ａ，１２ａは上衣１の両袖１１，１２の袖口近傍に設けた透光窓で、上記透光窓８とほぼ同じ構成であるが、内面側にポケットは備えない。この透光窓１１ａ，１２ａは、防護服Ｄの着用者が手首に装着した腕時計等を外部から見るための窓である。
１１ｂ，１２ｂは袖口に形成した絞り部、２１ａ，２２ａは脚筒２１，２２の裾に形成した絞り部で、両絞り部とも放射線が防護服Ｄの内部に袖口や裾から進入するのを防ぐと共に、着用時に捲れ上がるのを防ぐためのものである。
【００２７】
図示した本考案防護服Ｄは、この服Ｄを着脱するために開閉される部を、当該防護服Ｄの胴部Ｗにラインファスナ５によって形成したから、図３に模式的に示したように前記ファスナ５を開けた状態で上衣１を前方へ倒しておけば、通常のズボンを履くように下衣２を着用者が下半身に着けてから、フード３を含む上衣１を、セーター等を着るように頭から被りつつ左右の袖１１，１２に腕を通して着用し、前記ファスナ５のスライダ５ａを元の位置に戻すことにより、着用を完了することができる。
【００２８】
着用している防護服Ｄを脱ぐ場合には、まずファスナ５を開いて、例えば上衣１を、フード３を頭から外してセーターを脱ぐような態様で脱ぎ、しかる後、ズボン状の下衣２を脱ぐことにより、この防護服Ｄを脱ぎ終える。
【００２９】
図１〜図３により説明した本考案防護服Ｄでは、着脱のための開閉部を形成するファスナ５を、胴部前面側にファスナ未設置部６を残して胴部Ｗに設けたが、本考案は、ファスナ未設置部６を、胴部Ｗの背面側、又は、左右いずれかの側面側に配置した形態にしても、上記例と同様の着脱し易いという効果が得られる。
【００３０】
また、本考案ではファスナ５を胴部Ｗの全周に亘って略環状に設け、防護服Ｄの上衣１と下衣２とが分離可能な形態としたり、或は、ファスナ５を開けた時、上衣１と下衣２がファスナ５の始端と終端においてのみ繋がった形態にすることもできる。この構成によっても、防護服Ｄの着脱要領は、図１〜図３により説明した場合と同様に着脱が容易である。
【００３１】
本考案は以上の通りであるから、着脱が行い易く、特に作業後に防護服を脱ぐとき、汚染された手袋で防護服の内部を触ってしまうという汚染拡大の問題が生じない。
【００３２】
しかも、着脱し易いための構成は至ってシンプルであるから、少ない手間で低コストに防護服を提供することができる。
【符号の説明】
【００３３】
Ｄ  本考案防護服
１  防護服の上衣
２  防護服の下衣
３  フード
１１，１２  上衣１の左右の袖
２１，２２  下衣２の左右の脚筒
４  顔出し窓
５  スライドファスナ
５ａ  スライダ
６  ファスナ未設置部
【図１】
0003204406.tif 000003
【図２】
0003204406.tif 000004
【図３】
0003204406.tif 000005